(57)【特許請求の範囲】
【請求項１】
リール本体の側板間に回転自在に支持され釣糸を巻回保持するスプールを備えた魚釣用リールであって、
前記スプールは、円筒状の糸巻胴部と、前記糸巻胴部の両側部に設けられたフランジ部と、を備え、
前記糸巻胴部は、軸方向の少なくとも一部に前記糸巻胴部よりも硬い硬質材料からなる補強筒部を有しており、
前記糸巻胴部の内周面に形成された雌ねじ部と、前記補強筒部の外周面に形成された雄ねじ部と、を備え、
前記補強筒部は、前記雌ねじ部と前記雄ねじ部との螺合により、前記糸巻胴部に対して取り付けられ、
前記補強筒部は、前記糸巻胴部に対する挿入方向の先端部に、前記雄ねじ部の形成されていない部分を備えており、
前記雄ねじ部の形成されていない部分は、前記補強筒部の螺合時に前記糸巻胴部の内周面の対応する部分に嵌まり込むことを特徴とする魚釣用リール。
【請求項２】
前記補強筒部は、前記糸巻胴部よりも薄肉に形成されていることを特徴とする請求項１に記載の魚釣用リール。
【請求項３】
前記糸巻胴部の内側には、所定の機能を有する機能部材が配置されていることを特徴とする請求項１または請求項２に記載の魚釣用リール。
【請求項４】
前記機能部材は、前記スプールを駆動するための電動モータであることを特徴とする請求項３に記載の魚釣用リール。
【請求項５】
前記スプールを回転可能に支持する軸受を備え、
前記軸受は、前記フランジ部の内周部分を支持していることを特徴とする請求項１から請求項４のいずれか１項に記載の魚釣用リール。
【請求項６】
リール本体の側板間に回転自在に支持され釣糸を巻回保持する魚釣用リールのスプールであって、
釣糸が巻回される円筒状の糸巻胴部と、前記糸巻胴部の両側部に設けられたフランジ部と、を備え、
前記糸巻胴部は、軸方向の少なくとも一部に前記糸巻胴部よりも硬い硬質材料からなる補強筒部を有しており、
前記糸巻胴部の内周面に形成された雌ねじ部と、前記補強筒部の外周面に形成された雄ねじ部と、を備え、
前記補強筒部は、前記雌ねじ部と前記雄ねじ部との螺合により、前記糸巻胴部に対して取り付けられ、
前記補強筒部は、前記糸巻胴部に対する挿入方向の先端部に、前記雄ねじ部の形成されていない部分を備えており、
前記雄ねじ部の形成されていない部分は、前記補強筒部の螺合時に前記糸巻胴部の内周面の対応する部分に嵌まり込むことを特徴とする魚釣用リールのスプール。
【発明の詳細な説明】
【技術分野】
【０００１】
本発明は魚釣用リールおよび魚釣用リールのスプールに関する。
【背景技術】
【０００２】
両軸受型タイプの魚釣用リールには、リール本体の左右側板間にスプールが回転可能に支持されている。一般に、スプールは、釣糸が巻回される糸巻胴部と、糸巻胴部の両側に形成されたフランジ部とを有して構成されている。
【０００３】
ところで、スプールは、巻回される釣糸の張力を受けて、径方向や軸方向に変形するおそれがある。スプールが変形してしまうと、フランジ部が左右側板に接触したり、スプールの軸受にスラスト荷重が作用したりする等、スプールの回転性に影響を及ぼすおそれがある。このため、スプールを補強するための技術が検討されている。
【０００４】
従来、スプールを補強するための技術として特許文献１に開示されたものが知られている。特許文献１の魚釣用リールでは、シャフトの回りに密着するようにスプールを設けるとともに、シャフトに突起部を設けてスプールの強度向上を図っている。
【０００５】
一方、スプールに関する技術としてスプールを円筒状に形成し、スプールの内側空間を利用して所定の機能を有する機能部材を収容した魚釣用リールが知られている。特許文献２の魚釣用リールでは、糸巻胴部の内側に機能部材としてドラグ機構が収容されている。また、特許文献３の魚釣用リールでは、糸巻胴部の内側に機能部材として制動力補正手段が収容されている。また、特許文献４の魚釣用リールでは、スプールの内側空間を利用して駆動用の電動モータが収容されている。
【先行技術文献】
【特許文献】
【０００６】
【特許文献１】特開平１−２６９４４３号公報
【特許文献２】特開平６−２７６９０４号公報
【特許文献３】特開平４−３４９８３７号公報
【特許文献４】特開２００６−１４１２３９号公報
【発明の概要】
【発明が解決しようとする課題】
【０００７】
特許文献１の魚釣用リールは、シャフトの回りに糸巻胴部の全体が嵌合するようにスプールを設けているので、スプールの強度向上を図ることが可能である。しかしながら、特許文献１の魚釣用リールに適用されるスプールでは、糸巻胴部の内側に空間を形成することができないため、特許文献２〜４に記載されたような、スプールの内側空間を利用する構造の魚釣用リールに対応することができない。
【０００８】
本発明は、前記課題を解決するためになされたものであり、スプールの強度向上を図りつつ、スプールの内側空間を好適に利用することができる魚釣用リールおよび魚釣用リールのスプールを提供することを課題とする。
【課題を解決するための手段】
【０００９】
このような課題を解決する本発明の魚釣用リールは、リール本体の側板間に回転自在に支持され釣糸を巻回保持するスプールを備えた魚釣用リールであって、前記スプールは、釣糸が巻回される円筒状の糸巻胴部と、前記糸巻胴部の両側部に設けられたフランジ部と、を備え、前記糸巻胴部は、軸方向の少なくとも一部に前記糸巻胴部よりも硬い硬質材料からなる補強筒部を有しており、前記糸巻胴部の内周面に形成された雌ねじ部と、前記補強筒部の外周面に形成された雄ねじ部と、を備え、前記補強筒部は、前記雌ねじ部と前記雄ねじ部との螺合により、前記糸巻胴部に対して取り付けられ、前記補強筒部は、前記糸巻胴部に対する挿入方向の先端部に、前記雄ねじ部の形成されていない部分を備えており、前記雄ねじ部の形成されていない部分は、前記補強筒部の螺合時に前記糸巻胴部の内周面の対応する部分に嵌まり込むことを特徴とする。
【００１０】
この魚釣用リールによれば、釣糸が巻回される円筒状の糸巻胴部を、糸巻胴部よりも硬い硬質材料からなる補強筒部で補強することができ、スプールの強度向上を図ることができる。
また、前記糸巻胴部の内周に形成された雌ねじ部と、前記補強筒部の外周面に形成された雄ねじ部と、を備え、前記雌ねじ部と前記雄ねじ部との螺合により、前記補強筒部が前記糸巻胴部に対して取り付けられる。この構成により、糸巻胴部に対して補強筒部を簡単に取り付けることができる。また、糸巻胴部の軸方向の伸長を螺合による噛み合いによって好適に抑制することができる。
【００１１】
また、前記補強筒部は、前記糸巻胴部よりも薄肉に形成されているとよい。このようにすることで、糸巻胴部の補強を図りつつ、糸巻胴部の薄肉化を図ることができる。したがって、スプールの内側空間が好適に確保された魚釣用リールが得られる。
【００１３】
また、前記糸巻胴部の内側には、所定の機能を有する機能部材が配置されるのがよい。このようにすることで、糸巻胴部の内側を利用して機能部材を好適に配置することができ、レイアウト性が向上する。したがって、魚釣用リールの設計の自由度が増す。
【００１４】
また、前記機能部材が前記スプールを駆動するための電動モータである場合には、比較的スペースを取り易い機能部品をスプールの内側に好適に収容することができる。
また、前記スプールを回転可能に支持する軸受を備え、前記軸受は、前記フランジ部の内周部分を支持しているのがよい。
【００１５】
また、本発明の魚釣用リールのスプールは、リール本体の側板間に回転自在に支持され釣糸を巻回保持する魚釣用リールのスプールであって、釣糸が巻回される円筒状の糸巻胴部と、前記糸巻胴部の両側部に設けられたフランジ部と、を備え、前記糸巻胴部は、軸方向の少なくとも一部に前記糸巻胴部よりも硬い硬質材料からなる補強筒部を有しており、前記糸巻胴部の内周面に形成された雌ねじ部と、前記補強筒部の外周面に形成された雄ねじ部と、を備え、前記補強筒部は、前記雌ねじ部と前記雄ねじ部との螺合により、前記糸巻胴部に対して取り付けられ、前記補強筒部は、前記糸巻胴部に対する挿入方向の先端部に、前記雄ねじ部の形成されていない部分を備えており、前記雄ねじ部の形成されていない部分は、前記補強筒部の螺合時に前記糸巻胴部の内周面の対応する部分に嵌まり込むことを特徴とする。
【００１６】
この魚釣用リールのスプールによれば、釣糸が巻回される円筒状の糸巻胴部を、糸巻胴部よりも硬い硬質材料からなる補強筒部で補強することができ、強度向上を図ることができる。
また、前記糸巻胴部の内周に形成された雌ねじ部と、前記補強筒部の外周面に形成された雄ねじ部と、を備え、前記雌ねじ部と前記雄ねじ部との螺合により、前記補強筒部が前記糸巻胴部に対して取り付けられる。この構成により、糸巻胴部に対して補強筒部を簡単に取り付けることができる。また、糸巻胴部の軸方向の伸長を螺合による噛み合いによって好適に抑制することができる。
【発明の効果】
【００１７】
本発明の魚釣用リールによれば、スプールの糸巻胴部を補強筒部で補強してスプールの強度向上を図ることができるので、スプールの回転性能を高く維持しながら、釣糸の巻回によるスプールの変形を好適に防止することができる。
【００１８】
また、補強筒部が糸巻胴部よりも薄肉に形成されていることで、糸巻胴部の補強を図りつつ、糸巻胴部の薄肉化を図ることができるので、スプールの内側空間が好適に確保された魚釣用リールが得られる。
【００１９】
また、螺合により、糸巻胴部に対して補強筒部が取り付けられる構成では、糸巻胴部に対して補強筒部を簡単に取り付けることができるので組付性がよい。さらに、糸巻胴部の軸方向の伸長を螺合による噛み合いによって好適に抑制することができるので、釣糸の巻回によるスプールの変形を好適に防止することができる。
【００２０】
また、糸巻胴部の内側に機能部材が配置される構成では、糸巻胴部の内側を利用して機能部材を好適に配置することができるので、魚釣用リールの設計の自由度が増す。機能部材が電動モータである場合には、比較的スペースを取り易い機能部品をスプールを利用して収容することができるので、省スペース化が図られ、全体を小型化することができる。
【００２１】
また、本発明の魚釣用リールのスプールによれば、糸巻胴部を補強筒部で補強して強度向上を図ることができるので、回転性能を高く維持しながら、釣糸の巻回による変形を好適に防止することができる。
【図面の簡単な説明】
【００２２】
【図１】本発明の第１実施形態に係る魚釣用リールの内部構造を示す断面図（一部省略）である。
【図２】スプール周りの構造を示す拡大断面図である。
【図３】スプールの分解斜視図である。
【図４】図２のＡ−Ａ線断面図である。
【図５】本発明の第２実施形態に係る魚釣用リールのスプール周りの構造を示す拡大断面図である。
【図６】変形例のスプールを示す拡大断面図である。
【図７】変形例のスプールを示す拡大断面図である。
【発明を実施するための形態】
【００２３】
以下、本発明に係る魚釣用リールの実施形態について図面を参照して説明する。なお、以下の説明において、「上下」「左右」を言うときは、図１に示した方向を基準とする。なお、説明において、同一の要素には同一の符号を用い、重複する説明は省略する。
【００２４】
（第１実施形態）
本実施形態では、魚釣用リールを電動リールに適用した例について説明するが、本発明が適用される魚釣用リールの種類を限定する趣旨ではない。図１に示すように、魚釣用リールは、左右側板１Ａ，１Ｂを備えたリール本体１を有している。左右側板１Ａ，１Ｂは、左右フレーム２ａ，２ｂを左右カバー３ａ，３ｂで覆って構成される。リール本体１には、左右側板１Ａ，１Ｂ間に位置し、図示しない釣竿に装着されるリール脚１Ｃが一体形成されている。
【００２５】
左右フレーム２ａ，２ｂ間には、釣糸が巻回されるスプール１０が回転可能に支持されている。左フレーム２ａには、スプール１０の左側の支持部材をなすセットプレート４がビス４ａで取り付けられている。セットプレート４には、モータケース５がビス５ａで取り付けられている。モータケース５には、後記するように機能部材としての電動モータ５１が収容される。
一方、右フレーム２ｂには、スプール１０の右側の支持部材をなすセットプレート６が取り付けられている。セットプレート６の下部には、手動巻き取り駆動機構６０のハンドル軸６１を支持する支持部６ｂが設けられている。ハンドル軸６１は、支持部６ｂと右カバー３ｂとに支持されて、右カバー３ｂの側方に延出している。ハンドル軸６１の延出端には、ハンドル６２が取り付けられている。
【００２６】
スプール１０は、円筒状の糸巻胴部１１と、糸巻胴部１１の両側部に設けられたフランジ部１２ａ，１２ｂと、を備えている。スプール１０は、例えば、アルミニウム合金や、ＣＦＲＰ、ＧＦＲＰ等の繊維強化樹脂等によって形成される。糸巻胴部１１の内周面には、円筒状の補強筒部１３が取り付けられている。図２に示すように、糸巻胴部１１の内周面には、雌ねじ部１１ａが形成されている。雌ねじ部１１ａは、糸巻胴部１１の内周面の軸方向の略全体に亘って形成されている。本実施形態では、雌ねじ部１１ａのピッチを比較的小さく（細かく）設定している。
【００２７】
補強筒部１３は、糸巻胴部１１よりも硬い硬質材料、例えば、糸巻胴部１１がアルミニウム合金製である場合にはステンレス鋼等の金属材料を用いて形成されている。また、補強筒部１３は、糸巻胴部１１が繊維強化樹脂で形成されている場合には、アルミニウム合金やステンレス鋼等の金属材料を用いて形成されている。
【００２８】
補強筒部１３は、糸巻胴部１１よりも薄肉に形成されている。補強筒部１３の外周面には、雄ねじ部１３ａが形成されている。雄ねじ部１３ａは、糸巻胴部１１の雌ねじ部１１ａに螺合可能である。補強筒部１３は、前記した雌ねじ部１１ａと雄ねじ部１３ａとの螺合によって、糸巻胴部１１の内周面に対して取り付けられる。補強筒部１３の端部には、図３に示すように、螺合用の治具を係合させるための切欠き部１３ｂが形成されている。
補強筒部１３の内側（内側中空部）には、モータケース５が収容される円筒状の収容室２０（収容空間）が形成される。収容室２０は、スプール１０の左右の端面に開口する断面円形状の開口部を有している。
本実施形態では、糸巻胴部１１の内周略全体に補強筒部１３が螺合して配置されるようしてある。つまり、糸巻胴部１１の略全体が補強筒部１３で補強された構造となっている。
また、本実施形態では、図２に示すように、糸巻時に比較的力のかかる部分となる、糸巻胴部１１とフランジ部１２ａとの境界部分周りおよび糸巻胴部１１とフランジ部１２ｂとの境界部分周りに、補強筒部１３が位置するように構成してある。
【００２９】
なお、補強筒部１３の挿入方向の先端部に、雄ねじ部１３ａの形成されていない部分を設けてもよい。雄ねじ部１３ａの形成されていない部分は、補強筒部１３の螺合時に糸巻胴部１１の内面の対応する部分に嵌り込むように構成する。このように構成することによって、螺合時に補強筒部１３の芯出しがなされる。
【００３０】
また、螺合時に、補強筒部１３の雄ねじ部１３ａ（糸巻胴部１１の雌ねじ部１１ａ）に接着剤を塗布して、結合強度（固定強度）を高めるようにしてもよい。
【００３１】
スプール１０のフランジ部１２ａ，１２ｂは、糸巻胴部１１の両側部に連続して糸巻胴部１１に一体に形成されている。このうち左側のフランジ部１２ａ側は、収容室２０内に収容されたモータケース５の外周に軸受１４を介して回転可能に支持されている。つまり軸受１４が直接に（補強筒部１３を介さないで）フランジ部１２ａの内周部分を支持している。したがって、補強筒部１３を介して支持する場合に比べて支持精度が高い。
また、右側のフランジ部１２ｂ側は、ブラケット１５と、軸受１６とを介して回転可能に支持されている。ブラケット１５は、収容室２０を覆ってスプール１０の右端面１２ｃにビス止めされている。軸受１６は、セットプレート６に装着されている。
【００３２】
モータケース５は、セットプレート４と別体に形成され、有底円筒状を呈している。モータケース５は、収容室２０内において補強筒部１３と若干の間隙を空けて収容されている。モータケース５には、セットプレート４側に開口するモータ出入口５ｃの外周に、径方向外方へ突出するフランジ部５ｄが設けられており、当該フランジ部５ｄをセットプレート４にビス止めして取り付けられている。
【００３３】
モータケース５内には、前記したように、電動モータ５１が収容されている。電動モータ５１は、モータケース５と軸心を同じくして収容されている。電動モータ５１の左モータ軸５２は、セットプレート４に設けられた軸受支持部４１に一方向クラッチ４２を介して支持されている。
【００３４】
一方向クラッチ４２は、電動モータ５１の回転時にフリー回転状態となってスプール１０の巻き取り駆動を可能とするとともに、ハンドル６２（図１参照）の操作による釣糸の巻き取り駆動時に、電動モータ５１の左モータ軸５２の回転を阻止してハンドル６２の巻き取り動力がスプール１０に伝達されるように機能する。
【００３５】
なお、電動モータ５１の左端部には、凹部５１ａが形成されている。凹部５１ａには、セットプレート４に設けられた突出部４３が係合している。この係合によって、電動モータ５１が回り止め保持されている。電動モータ５１の右端部は、モータケース５の中央よりやや右側に形成されたプレート状の底部５ｅに保持されている。電動モータ５１の右モータ軸５３は、底部５ｅの右側方に延出し、減速機構７０に連結されている。
【００３６】
減速機構７０は、図２に示すように、３つの遊星歯車機構７１〜７３で構成されている。このうち遊星歯車機構７１，７２は、モータケース５の底部５ｅで区画されるモータケース５の右内側空間部Ｓ１に配置されている。また、残りの遊星歯車機構７３は、この右内側空間から外れたフランジ部１２ｂの内側空間部Ｓ２に配置されている。減速機構７０は、電動モータ５１の駆動時に、その巻き取り駆動力を第１の遊星歯車機構７１で減速させた後、第２，第３の遊星歯車機構７２，７３でさらに減速させてスプール１０に伝達するものである。
【００３７】
第１の遊星歯車機構７１は、右モータ軸５３に回り止め嵌合され、右モータ軸５３と一体に回転する第１の太陽歯車７１ａと、第１の太陽歯車７１ａに噛合する複数の第１の遊星歯車７１ｂと、各第１の遊星歯車７１ｂが常時噛合するようにモータケース５の内周に固着された第１の内歯歯車７１ｃとを備えている。
【００３８】
第２の遊星歯車機構７２は、右モータ軸５３にメタル軸受５３ａを介して回転可能に支持される第２の太陽歯車７２ａと、第２の太陽歯車７２ａに噛合する複数の第２の遊星歯車７２ｂと、各第２の遊星歯車７２ｂが常時噛合するようにモータケース５の内周に固着された第２の内歯歯車７２ｃとを備えている。
【００３９】
第３の遊星歯車機構７３は、右モータ軸５３にメタル軸受５３ｂを介して回転可能に支持される第３の太陽歯車７３ａと、第３の太陽歯車７３ａに噛合する複数の第３の遊星歯車７３ｂと、各第３の遊星歯車７３ｂが常時噛合するようにスプール１０の端部内周に固着された第３の内歯歯車７３ｃとを備えている。
【００４０】
そして、図２に示すように、第１の遊星歯車機構７１の各第１の遊星歯車７１ｂは、第１のキャリア７１ｄに支持されており、当該キャリア７１ｄは第２の太陽歯車７２ａと一体回転可能に連結されている。また、第２の遊星歯車機構７２の各第２の遊星歯車７２ｂは第２のキャリア７２ｄに支持されており、当該キャリア７２ｄは第３の太陽歯車７３ａと一体回転可能に連結されている。さらに、第３の遊星歯車機構７３の各第３の遊星歯車７３ｂは第３のキャリア７３ｄに支持されており、当該キャリア７３ｄは係止ピン６３ｄを介して回転駆動軸６３に連結されている。
【００４１】
回転駆動軸６３は、図１に示すように、右モータ軸５３と右カバー３ｂとの間に設けられている。回転駆動軸６３は、手動巻取り駆動機構６０からの巻取り動力を減速機構７０に伝達するものであり、右モータ軸５３と同軸上に架設されている。回転駆動軸６３は、３つの軸受６３ａ，６３ｂ，６３ｃを介して前記したブラケット１５と右カバー３ｂに回動自在に支持されている。
【００４２】
回転駆動軸６３上には、従来周知のドラグ装置６４が装着されている。ドラグ装置６４は、釣糸の繰り出しで回転するスプール１０に制動力を付与しながら、スプール１０の釣糸繰出し方向への回転を許容する制動作用を与える。また、ドラグ装置６４は、この制動作用を利用してスプール１０をスプールフリー状態と釣糸巻き取り状態とに切り換える。また、回転駆動軸６３上には、ドラグ装置６４のドラグ力を調節するドラグレバー６４ａが取り付けられている。そして、ドラグ装置６４を構成する押圧体６４ｂの外周にピニオン６４ｃが当該押圧体６４ｂと一体回転可能に嵌合し、このピニオン６４ｃに手動巻き取り駆動機構６０のドライブギヤ６０ａが噛合している。
【００４３】
手動巻き取り駆動機構６０は、ハンドル６２と、ハンドル６２が取り付くハンドル軸６１と、これに回止め嵌合されたドライブギヤ６０ａとで構成されている。ハンドル軸６１の挿入先端側には、逆転防止装置６０ｂが設けられている。逆転防止装置６０ｂは、スプール１０を電動モータ５１で巻き取り駆動した際に、これに連動してハンドル軸６１が回転しないようにその逆転防止を図るものである。逆転防止装置６０ｂは、ハンドル軸６１に回り止め嵌合されたラチェット６０ｃと、当該ラチェット６０ｃに対し一定の付勢力で常時係止する係止爪（図示せず）とからなる。逆転防止装置６０ｂは、電動モータ５１でスプール１０を巻き取り駆動した際に、その回転方向ではラチェット６０ｃに係止爪が係止方向で噛み合ってラチェット６０ｃの回転、すなわち、ハンドル軸６１の回転を阻止する。したがって、電動モータ５１の駆動力は、減速機構７０を介してスプール１０のみに伝達されることとなる。
【００４４】
一方、ハンドル６２の操作でスプール１０を釣糸巻き取り方向に回転させた場合、逆転防止装置６０ｂは、その回転方向では係止爪がラチェット６０ｃの回転を許容するようになっている。この結果、ハンドル６２の回転操作に連動してハンドル軸６１を回転させることができ、そして、前記したように逆転防止装置６０ｂが、ハンドル操作による釣糸の巻き取り駆動時に、電動モータ５１の右モータ軸５３が回転するのを阻止する。
【００４５】
その他、左側板１Ａには、給電コード１８ａ接続されるコネクタ１８が設けられている。また、図示しないがリール本体１には、電動モータ５１のＯＮ／ＯＦＦスイッチを有する制御ボックスが取り付けられている。当該ＯＮ／ＯＦＦスイッチの操作で電動モータ５１が駆動／停止するようになっている。
【００４６】
以上説明した本実施形態の魚釣用リールによれば、スプール１０の糸巻胴部１１を補強筒部１３で補強してスプール１０の強度向上を図ることができるので、スプール１０の回転性能を高く維持しながら、釣糸の巻回によるスプール１０の変形を好適に防止することができる。
【００４７】
また、補強筒部１３が糸巻胴部１１よりも薄肉に形成されていることで、糸巻胴部１１の補強を図りつつ、糸巻胴部１１の薄肉化を図ることができるので、スプール１０の内側空間（収容室２０）が好適に確保された魚釣用リールが得られる。
【００４８】
また、螺合により、糸巻胴部１１に対して補強筒部１３を簡単に取り付けることができるので組付性がよい。さらに、糸巻胴部１１の軸方向の伸長を螺合による噛み合いによって好適に抑制することができるので、釣糸の巻回によるスプール１０の変形をより好適に防止することができる。また、既存のスプール１０に対して雌ねじ部１１ａを形成することによって、後付けで補強筒部１３を取り付けることもできる。
【００４９】
また、糸巻胴部１１の内側に電動モータ５１（モータケース５）を配置することができるので、魚釣用リールの設計の自由度が増す。しかも、電動モータ５１は比較的スペースを取り易い機能部品であることから、スプール１０の内側に形成される収容室２０を利用して電動モータ５１を収容することにより、省スペース化が図られ、全体を小型化することが可能である。
また、電動モータ５１をスプール１０の内側に効果的に保護することもできる。
【００５０】
また、本実施形態の魚釣用リールのスプール１０によれば、糸巻胴部１１を補強筒部１３で補強して強度向上を図ることができるので、回転性能を高く維持しながら、釣糸の巻回による変形を好適に防止することができる。
【００５１】
（第２実施形態）
図５を参照して第２実施形態の魚釣用リールについて説明する。本実施形態が前記第１実施形態と異なるところは、スプール１０の糸巻胴部１１の一部に補強筒部１３を設けた点にある。
図５に示すように、スプール１０の内側には、モータケース５が収容される円筒状の収容室２０Ａと、減速機構７０Ａが収容される収容スペースＳ３とが形成されている。補強筒部１３は、収容室２０Ａを形成する糸巻胴部１１の内周に取り付けられている。糸巻胴部１１の内側には間隙を介してモータケース５が配置されている。本実施形態では、減速機構７０Ａの略全体が収容スペースＳ３内に配置されている。
【００５２】
なお、補強筒部１３が取り付けられる部分の糸巻胴部１１の肉厚は、減速機構７０Ａが配置される部分の糸巻胴部１１の肉厚よりも薄肉とされている。つまり、本実施形態では、収容室２０Ａが形成される部分を補強筒部１３で補強することによって、その部分の糸巻胴部１１の肉厚を薄肉に形成している。これによって、その内側に形成される収容室２０Ａの容積を好適に確保している。
【００５３】
本実施形態の魚釣用リールによれば、前記第１実施形態で説明した作用効果と同様の作用効果が得られるとともに、補強筒部１３によって、スプール１０の適所（収容室２０Ａが形成される部分）の強度向上を図ることができる。
なお、収容スペースＳ３内に補強筒部１３を取り付けてもよい。
【００５４】
図６，図７に変形例のスプールを示す。図６に示したスプール１０Ａでは、補強筒部１３Ａの両端部を全体的または部分的にスプール１０Ａの端縁部１０ｃに当接させて抜け止め固定したものである。
【００５５】
この場合、補強筒部１３Ａの両端部がスプール１０Ａの端縁部１０ｃの側方に突出するように補強筒部１３Ａを形成する。そして、組付時には、補強筒部１３Ａの端部の突出した部分に、工具等で打撃を加え、突出した部分を端縁部１０ｃ側（開口縁部側）に塑性変形させて端縁部１０ｃに当接させる（かしめる）。これによって、スプール１０Ａに対して補強筒部１３Ａを抜け止め固定することができる。
この変形例では、かしめによって、スプール１０Ａの軸方向の伸びを効果的に防止することができる。
【００５６】
なお、この変形例では、雌ねじ部１１ａと雄ねじ部１３ａとの螺合によらず、かしめによってのみ、補強筒部１３を糸巻胴部１１に装着するようにしてもよい。また、かしめによらずに、補強筒部１３の両端部の雄ねじ部１３ａに螺合する、図示しないナットを用いて、補強筒部１３を抜け止め固定してもよい。かしめやナット等による固定は、前記実施形態や変形例についても適用することができる。
【００５７】
図７に示したスプール１０Ｂは、スプール軸１０ｆに嵌合固定される筒部１１ｅと、筒部１１ｅに連続する縦壁１１ｆと、釣糸が巻回される糸巻胴部１１と、左右のフランジ部１２ａ，１２ｂとで形成されており、スプール軸１０ｆに直接支持されている。糸巻胴部１１の内側には、縦壁１１ｆの両側に補強筒部１３，１３が螺合によって取り付けられている。
【００５８】
このようなスプール１０Ｂによっても、糸巻胴部１１の内側（補強筒部１３，１３の内側）に、機能部材を収容することが可能な収容室２０Ｂ，２０Ｂが形成される。
【００５９】
以上、本発明の実施形態について説明したが、本発明は、上記した実施形態に限定されることはなく、種々変形することが可能である。
例えば、前記実施形態や変形例において、補強筒部１３は、螺合によって糸巻胴部１１に取り付けられる構成としたが、これに限られることはなく、糸巻胴部１１に対して圧入により取り付けられる構成としてもよい。また、スプール１０（１０Ａ，１０Ｂ）の成形時に糸巻胴部１１に一体的に設けてもよい。さらに、糸巻胴部１１（スプール１０，１０Ａ，１０Ｂ）に対して埋設してもよい。また、接着剤を用いて固定するようにしてもよい。
【００６０】
また、補強筒部１３は、スプール１０（１０Ａ，１０Ｂ）の軸方向に複数に分割して取り付けてもよい。さらに、補強筒部１３は、複数の材料を用いて径方向に層状に構成してもよい。
【００６１】
また、前記実施形態および変形例では、糸巻時に比較的力のかかる部分となる、糸巻胴部１１とフランジ部１２ａとの境界部分周りおよび糸巻胴部１１とフランジ部１２ｂとの境界部分周りに、補強筒部１３が位置するように構成したが、これに限られることはなく、境界部分周りに補強筒部１３が配置されていなくてもよい。この場合にも、釣糸の巻回によるスプール１０の変形を好適に防止することができる。
【００６２】
また、前記実施形態では、スプール１０のフランジ部１２ａ側が軸受１４を介して回転可能に支持される構成としたが、補強筒部１３側を軸受１４を介して回転可能に支持するように構成してもよい。
【００６３】
また、収容室２０，２０Ａ，２０Ｂには、機能部材としてドラグ機構や制動力補正手段、軸受部材等を収容してもよい。
【符号の説明】
【００６４】
１      リール本体
１Ａ    左側板
１Ｂ    左側板
５      モータケース
１０    スプール
１０Ａ  スプール
１０Ｂ  スプール
１１    糸巻胴部
１１ａ  雌ねじ部
１２ａ  フランジ部
１２ｂ  フランジ部
１３    補強筒部
１３Ａ  補強筒部
２０，２０Ａ，２０Ｂ  収容室
【図１】
0006360434.tif 000002
【図２】
0006360434.tif 000003
【図３】
0006360434.tif 000004
【図４】
0006360434.tif 000005
【図５】
0006360434.tif 000006
【図６】
0006360434.tif 000007
【図７】
0006360434.tif 000008